(57)【要約】【課題】  使用者の印象をより自然なものとするウィッグ、及びウィッグの毛髪を産毛状に形成するダウニーカット方法を提供することを目的とする。【解決手段】  本発明の一実施形態は、ウィッグベースと、ウィッグベースに植設された毛髪とを備え、ウィッグベースのうち、ウィッグの使用者の前額部生え際、耳まわり、及び襟足にあたる部分のうちの全部又は一部に植設された毛髪は、産毛状に形成されている、ウィッグを提供する。また、本発明の一実施形態は、略均一な長さを有する毛髪が植設されたウィッグベースを備えた基本ウィッグを準備するステップと、ウィッグベースのうち、ウィッグの使用者の前額部生え際、耳まわり、及び襟足にあたる部分のうちの全部又は一部に植設された毛髪を、産毛状に形成するステップとを具備するダウニーカット方法を提供する。【選択図】図１
2017008448.tif 000002
【特許請求の範囲】
【請求項１】
ウィッグベースと、
前記ウィッグベースに植設された毛髪とを備え、
前記ウィッグベースのうち、前記ウィッグの使用者の前額部生え際、耳まわり、及び襟足にあたる部分のうちの全部又は一部に植設された毛髪は、産毛状に形成されている、ウィッグ。
【請求項２】
前記産毛状に形成された毛髪の長さ及び密度は、産毛状に形成されていない毛髪の長さ及び密度よりも短く且つ低く、
前記産毛状に形成された毛髪は、毛先に向けて徐々に細くなるストローク状に形成された長短の毛髪を含む、請求項１に記載のウィッグ。
【請求項３】
略均一な長さを有する毛髪が植設されたウィッグベースを備えた基本ウィッグを準備するステップと、
前記ウィッグベースのうち、前記ウィッグの使用者の前額部生え際、耳まわり、及び襟足にあたる部分のうちの全部又は一部に植設された毛髪を、産毛状に形成するステップとを具備するダウニーカット方法。
【請求項４】
前記産毛状に形成するステップは、
前記全部又は一部に植設された毛髪の第１の部分をストローク状にカットするステップであって、前記ストローク状にカットされた毛髪は、毛先に向けて徐々に細くなっている、ステップと、
前記全部又は一部に植設された毛髪の第２の部分を前記ストローク状にカットするステップであって、前記第１の部分に係る毛髪は、前記第２の部分に係る毛髪よりも短い、ステップとを含み、
前記産毛状に形成された毛髪の長さ及び密度は、産毛状に形成されていない毛髪の長さ及び密度よりも短く且つ低い、請求項３に記載のダウニーカット方法。
【発明の詳細な説明】
【技術分野】
【０００１】
本発明は、産毛状に形成された毛髪（ダウニーヘア）を備えたウィッグ及びウィッグの毛髪を産毛状に形成するダウニーカット方法に関する。
【背景技術】
【０００２】
従来より、ウィッグに植設する毛髪の長さを変えて自然な外観を表現する技術が知られている。
【０００３】
特許文献１は、長い毛髪の立ち上がり及びボリューム感を改善し、見栄えを向上するために、長毛及び短毛を予め設定した所定の毛髪量及び所定の割合でベースに植設するかつら及びその製造方法を開示する。とくに、特許文献１では、長毛の周りに長毛に比べて太い短毛を植設することにより、長毛をより確実に支持することができ、低毛量であってもかつら全体のボリューム感を向上させている。
【先行技術文献】
【特許文献】
【０００４】
【特許文献１】特開２００６−１８３２１４号公報
【発明の概要】
【発明が解決しようとする課題】
【０００５】
従来では、長毛及び短毛を所定の量及び割合でウィッグベースに植設することにより、毛髪の立ち上がりによるボリューム感を出して、ウィッグの使用者の見栄えを向上させる。しかしながら、ウィッグの使用者の印象をより自然にするには、ウィッグの毛髪にボリューム感を出すだけでは十分ではない。
【０００６】
人の毛髪の前額部生え際、耳まわり、及び襟足等には比較的短く薄い産毛が生えており、産毛が含まれる頭髪は相手に自然な印象を与える。そのため、ウィッグの毛髪に産毛を含ませておけば、ウィッグの使用者の印象をより自然なものとすることができる。
【０００７】
そこで、本発明は、産毛状に形成された毛髪を備えたウィッグ、及びウィッグの毛髪を産毛状に形成するダウニーカット方法を提供することを目的とする。
【課題を解決するための手段】
【０００８】
本発明の一実施形態は、ウィッグベースと、ウィッグベースに植設された毛髪とを備え、ウィッグベースのうち、ウィッグの使用者の前額部生え際、耳まわり、及び襟足にあたる部分のうちの全部又は一部に植設された毛髪は、産毛状に形成されている、ウィッグを提供する。また、産毛状に形成された毛髪の長さ及び密度は、産毛状に形成されていない毛髪の長さ及び密度よりも短く且つ低く、産毛状に形成された毛髪は、毛先に向けて徐々に細くなるストローク状に形成された長短の短い毛髪を含む。
【０００９】
さらに、本発明の一実施形態は、略均一な長さを有する毛髪が植設されたウィッグベースを備えた基本ウィッグを準備するステップと、ウィッグベースのうち、ウィッグの使用者の前額部生え際、耳まわり、及び襟足にあたる部分のうちの全部又は一部に植設された毛髪を、産毛状に形成するステップとを具備するダウニーカット方法を提供する。また、産毛状に形成するステップは、全部又は一部に植設された毛髪の第１の部分をストローク状にカットするステップであって、ストローク状にカットされた毛髪は、毛先に向けて徐々に細くなっている、ステップと、全部又は一部に植設された毛髪の第２の部分をストローク状にカットするステップであって、第１の部分に係る毛髪は、第２の部分に係る毛髪と比べて短い、ステップとを含み、産毛状に形成された毛髪の長さ及び密度は、産毛状に形成されていない毛髪の長さ及び密度よりも短く且つ低い。
【発明の効果】
【００１０】
本発明の一実施形態に係るウィッグは、使用者の前額部生え際、耳まわり、及び襟足にあたる部分のうちの全部又は一部に産毛状に形成された毛髪を備えているため、使用者の見栄えを向上させ、より自然な印象を相手に与えることができる。
【図面の簡単な説明】
【００１１】
【図１】一実施形態に係るウィッグの正面図である。
【図２】一実施形態に係るウィッグベースの側面図である。
【図３】一実施形態に係るウィッグの側面図である。
【図４】一実施形態に係るダウニーカット方法のフローチャートである。
【図５】一実施形態に係るウィッグを装着した使用者の正面模式図である。
【図６】一実施形態に係るウィッグを装着した使用者の後方模式図である。
【図７】一実施形態に係るウィッグを装着した使用者の後方模式図である。
【図８】一実施形態に係るウィッグを装着した使用者の後方模式図である。
【図９】一実施形態に係るウィッグを装着した使用者の側面模式図である。
【図１０】一実施形態に係るウィッグを装着した使用者の正面模式図である。
【発明を実施するための形態】
【００１２】
＜ウィッグの構成＞
図１は、本発明の一実施形態に係るウィッグ１０の正面図である。ウィッグ１０は、使用者の頭部に装着されるウィッグベース２０と、ウィッグベース２０に植設された毛髪３０とを備える。なお、ウィッグ１０は、女性用に限らず、男性用であってもよい。
【００１３】
図２は、毛髪３０が植設されていない状態のウィッグベース２０の側面図である。ウィッグベース２０は、シルクやナイロン等の材料で形成されたネットであり、前方にシルクネット部２１、側方にサイド調整レール２１、並びに、後方にアジャスター２３、Ｓバックル２４、及びネープ部２５を備える。
【００１４】
アジャスター２２のサイズを調整し、Ｓバックル２４のベルトを絞ることにより、ウィッグベース２０を使用者の頭のサイズに合わせることができる。符号Ａで示す部分は、使用者の頭皮に優しいシルクネットの二重構造となっており、使用者は、ウィッグベース２０を装着する前にコットンインナーキャップをさらに装着しなくてもよい。シルクスキンネット部２５は、使用者の前額を覆うように幅広く構成され、使用者の地肌色に近づけるために染色されていると、生え際の見た目が自然になり好ましい。
【００１５】
毛髪３０は、人毛若しくは人工毛又はこれらを組み合わせたミックス毛であり、ウィッグベース２０のフィラメント又はその交点に対して公知の植設方法に従って植設される。本実施形態ではいずれの毛を用いてもよい。
【００１６】
人工毛は、アクリル、化学繊維、又はナイロン等から作られている。人毛は、より自然な見た目や手触り感を提供するが、人工毛に比べてウィッグ１０が重たくなりやすい。ミックス毛は、比較的軽い人工毛の利点と、自然な見た目及び手触り感を提供する人毛の両方の利点とを有する。自然な印象を出すために、ウィッグベース２０のうち使用者の頭頂部、耳まわり、及び襟足（ネープ）にあたる部分の毛髪３０を比較的濃い密度で植設し、ハチ回りにあたる部分の毛髪３０を比較的薄い密度で植設するようにしてもよい。
【００１７】
図３は、ウィッグ１０の側面図であり、毛髪３０の一部３１が持ち上げられ髪留めでまとめられた状態を表す。
【００１８】
図３に示すように、ウィッグベース２０のうち、ウィッグ１０の使用者の前額部生え際にあたる部分２０Ａ、耳まわりにあたる部分２０Ｂ、及び襟足にあたる部分２０Ｃに植設された毛髪３２は、産毛状に形成されている。ウィッグベース２０のうち、ウィッグ１０の使用者の前額部生え際にあたる部分２０Ａ、耳まわりにあたる部分２０Ｂ、及び襟足にあたる部分２０Ｃの位置は、相手が自然な印象を受けるように、ウィッグ１０の使用者に応じて適宜調整される。
【００１９】
ここで、産毛状に形成された毛髪３２の長さ及び密度は、他の部分の毛髪３１に比べて十分に短くかつ低い。また、産毛状に形成された毛髪３２は、ストローク状（毛髪が毛先に向けて徐々に細くなっている状態）に形成された、比較的長い毛髪と、当該長い毛髪に比べて略半分以下の比較的短い毛髪を含む。産毛状に形成された毛髪３２を備えることにより、ウィッグ１０に自然な立体感や丸みが表れ、柔らかく且つふんわりした印象を相手に与えることができる。
【００２０】
＜ダウニーカット方法＞
次に、図４のフローチャートＳ１〜Ｓ５及び図５〜図１０の模式図を用いて、ウィッグ１０の毛髪を産毛状に形成するダウニーカット方法について説明する。なお、以下では、産毛状の毛髪３２は人（例えば理美容師）により形成される前提で説明するが、毛髪をカットするロボット等を用いて産毛状の毛髪３２を形成するようにしてもよい。
【００２１】
まず、ステップＳ１において、略均一な長さを有する毛髪３０Ａがウィッグベース２０に植設された基本ウィッグ１０Ａを準備し、図５に示すように使用者４０に装着する。このときに、ブラシやクシを用いて毛髪３０Ａをとき、使用者４０にとって自然な感じとなるようにしておくとよい。毛髪３０Ａの長さは使用者４０の要望等に応じて適宜調整される。なお、基本ウィッグ１０Ａを使用者４０に装着する代わりに、使用者４０の頭の形を模した模型を用いてもよい。
【００２２】
ステップＳ２において、図６に示すように、毛髪３０Ａを産毛状に形成する毛髪３２Ａと産毛状に形成しない毛髪３１とに選別する。毛髪３１は、邪魔にならないように上でまとめて髪留めでとめておくとよい。産毛状に形成する毛髪３２Ａは、ウィッグベース２０のうち、使用者４０の前額部生え際、耳まわり、及び襟足のうちの一部又は全部に植設された毛髪である。産毛状に形成する毛髪３２Ａをなるべく薄く選別することで、仕上がりをより自然な感じにすることができる。
【００２３】
ステップＳ３において、毛髪３２Ａを長短つけながらストローク状にカットする。このとき、図７に示すように、毛髪３２Ａのうち短くカットされた毛髪３２Ｂの間にところどころ長さを残しておいた毛髪３２Ｃが混ざるようにする。
【００２４】
本実施形態において、毛髪のカットはレザーを用いて行うのが好ましいが、シザーを用いて行ってもよい。また、ストローク状にカットするとき、ストロークの幅が比較的長いロングストロークでカットすると毛髪に軽さや柔らかさを出すことができ、ストロークの幅が比較的短いショートストロークでカットすると毛髪の長さを短くすることができる。本実施形態では、産毛状に形成される毛髪３２を軽くかつ柔らかくするために、基本的にロングストロークでカットしているが、適宜ショートストロークを混ぜてもよい。
【００２５】
ステップＳ４において、長さを残しておいた毛髪３２Ｃを、使用者４０の顔周りを立体的に包み込むようにストローク状にカットし、短くする。このとき、襟足部分にあたる毛髪については使用者４０の首の丸みに合わせてカットし、前額部生え際部分にあたる毛髪についてはおくれ毛を作り、前髪に立体感と奥行きを出すようにするとよい。そして、図８に示すように、ストローク状にカットされた、比較的短い毛髪３２Ｂ及び比較的長い毛髪３２Ｄが形成される。
【００２６】
ステップＳ５において、仕上げとして、毛髪３２Ｂ及び３２Ｄを部分的につまむようにしながらカットし、使用者４０の顔に合わせて奥行きや丸みを持たせるようにし、顔周りに沿った毛流れを行う。好ましくは、毛髪３２Ｂは、毛髪３２Ｄと比べて略半分以下の長さを有する。
【００２７】
このようにして、図９に示すように、ウィッグ１０の毛髪の一部３２が産毛状に形成され、産毛状に形成された毛髪３２はストローク状に形成された長短の毛髪を含む。
【００２８】
図１０は、基本ウィッグ１０Ａと産毛状の毛髪３２を備えたウィッグ１０とを比較する模式図である。図１０に示すように、産毛状の毛髪３２を備えたウィッグ１０を装着した使用者４０の見栄えが向上し、より自然な印象を相手に与えることができる。
【００２９】
本発明の一実施形態に係るウィッグ１０の毛髪のうち、使用者の前額部生え際、耳まわり、及び襟足にあたる部分のうちの全部又は一部に植設された毛髪が産毛状に形成されているため、ウィッグの使用者の見栄えを向上させ、より自然な印象を相手に与えることができる。
【００３０】
上記説明した寸法、材料、形状、構成要素の相対的な位置等は任意であり、また、本発明は、上記具体的に記載された実施形態に限定されるものではない。
【符号の説明】
【００３１】
１０  ウィッグ
２０  ウィッグベース
３０  毛髪
３１  毛髪
３２  産毛状に形成された毛髪
【図１】
2017008448.tif 000003
【図２】
2017008448.tif 000004
【図３】
2017008448.tif 000005
【図４】
2017008448.tif 000006
【図５】
2017008448.tif 000007
【図６】
2017008448.tif 000008
【図７】
2017008448.tif 000009
【図８】
2017008448.tif 000010
【図９】
2017008448.tif 000011
【図１０】
2017008448.tif 000012